【手続補正書】
【提出日】平成17年9月20日(2005.9.20)
【手続補正１】
【補正対象書類名】明細書
【補正対象項目名】特許請求の範囲
【補正方法】変更
【補正の内容】
【特許請求の範囲】
【請求項１】  潜像担持体と、前記潜像担持体に対向して設けられた複数の現像器を有する現像手段を備えた画像形成装置において、
画像信号を入力する入力手段、前記入力された画像の種別を判別する自動判別手段と、単色の画像形成を行う第一モードと、カラーの画像形成を行う第二モードと、前記自動判別手段の判別に応じて前記第一モードと前記第二のモードを切替る自動選択モードを有し、
前記自動選択モードが選択されている場合、前記自動判別手段が判別する前に、所定現像器の所定位置への移動を開始するように制御可能な制御手段を有することを特徴とする画像形成装置。
【請求項２】  前記所定現像器は、第一モードで使用する現像器であることを特徴とする請求項１記載の画像形成装置。
【請求項３】  前記所定現像器は、第二モードで最初に使用する現像器であることを特徴とする請求項１記載の画像形成装置。
【請求項４】  前記制御手段は、さらに判別結果に応じて前記所定現像器とは異なる現像器を現像位置へ移動させることを特徴とする請求項１記載の画像形成装置。
【請求項５】  前記現像手段は、複数の現像器が回転軸の周りに配置され任意の前記現像器を潜像担持体に対向した現像位置に該回転軸を中心に回転動作をして現像を行うことを特徴とする請求項１記載の画像形成装置。
【請求項６】  前記制御手段は、前記自動判別手段の判別結果に応じて切替られたモードで最初に使用する現像器が前記所定現像器と異なる場合には、前記最初に使用する現像器を現像位置へ移動することを特徴とする請求項１記載の画像形成装置。
【請求項７】  前記自動判別手段は、前記入力された画像が単色であるかカラーであるかを判別することを特徴とする請求項１記載の画像形成装置。
【請求項８】  前記制御手段は、操作者の設定に応じて、前記自動判別手段が判別する前に移動を開始する所定現像器を選択することを特徴とする請求項１記載の画像形成装置。
【請求項９】  前記制御手段は、画像形成装置の第一のモードと第二のモードの使用頻度に応じて、前記自動判別手段が判別する前に移動を開始する所定現像器を選択することを特徴とする請求項１記載の画像形成装置。
【請求項１０】  前記現像手段には、ブラック現像器が設置されていることを特徴とする請求項１記載の画像形成装置。
【請求項１１】  潜像担持体と、複数の現像器を有し前記潜像担持体に対向して設けられた現像手段を有する画像形成装置において、画像信号を入力する入力手段、前記入力された画像の種別を自動判別する自動判別手段と、第一現像器を使って画像形成を行う第一モードと、第一現像器を使わずに画像形成を行う第二モードと、前記自動判別手段の判別に応じて前記第一モードと前記第二のモードを切替る自動選択モードを有し、前記自動選択モードが選択されている場合、前記自動判別手段が判別する前に、所定現像器を所定位置への移動を開始するように制御可能な制御部を有することを特徴とする画像形成装置。
【請求項１２】  前記所定現像器は、第一モードで使用する現像器であることを特徴とする請求項１１記載の画像形成装置。
【請求項１３】  前記所定現像器は、第二モードで最初に使用する現像器であることを特徴とする請求項１１記載の画像形成装置。
【請求項１４】  前記複数の現像器の内、少なくと前記第一現像器に収容されている現像剤は一成分現像剤であることを特徴とする請求項１１記載の画像形成装置。
【請求項１５】  前記制御手段は、操作者の設定に応じて、前記自動判別手段が判別する前に移動を開始させる所定現像器を選択することを特徴とする請求項１１記載の画像形成装置。
【請求項１６】  前記制御手段は、画像形成装置の第一のモードと第二のモードの使用頻度に応じて、前記自動判別手段が判別する前に移動を開始する所定現像器を選択することを特徴とする請求項１１記載の画像形成装置。
【請求項１７】  前記現像手段は、同色で濃度の異なる現像剤を有する現像器を少なくとも一組以上有することを特徴とする請求項１１記載の画像形成装置。
【請求項１８】  前記現像手段は、同色で成分の異なる現像剤を有する現像器を少なくとも一組以上有することを特徴とする請求項１１記載の画像形成装置。
【請求項１９】 潜像担持体と、複数の現像器を有し前記潜像担持体に対向して設けられた現像手段を有する画像形成装置において、画像信号を入力する入力手段、前記画像形成装置の動作を制御する制御手段と、単色の画像形成を行う第一モードと、カラーの画像形成を行う第二モードと、前記入力手段からの画像信号に応じて前記第一モードと前記第二のモードを切替る自動選択モードを有し、前記第一モードでの所定現像器が待機する待機位置と前記第二モードでの所定現像器が待機する待機位置とは異なり、前記自動選択モードにおける前記入力手段からの画像信号が入力される前の所定現像器が待機する待機位置を、操作者が第一モードか第二モードの一方を指定する指定手段を有することを特徴とする画像形成装置。
【請求項２０】 前記所定現像器は、第二モードで最初に使用する現像器であることを特徴とする請求項１９記載の画像形成装置。
【請求項２１】 前記現像手段は、複数の現像器が回転軸の周りに配置され任意の前記現像器を潜像担持体に対向した現像位置に該回転軸を中心に回転動作をして現像を行うことを特徴とする請求項１９記載の画像形成装置。
【請求項２２】 潜像担持体と、複数の現像器を有し前記潜像担持体に対向して設けられた現像手段を有する画像形成装置において、画像信号を入力する入力手段、前記画像形成装置の動作を制御する制御手段と、単色の画像形成を行う第一モードと、カラーの画像形成を行う第二モードと、前記入力手段からの画像信号に応じて前記第一モードと前記第二のモードを切替る自動選択モードを有し、前記第一モードでの所定現像器が待機する待機位置と前記第二モードでの所定現像器が待機する待機位置とは異なり、前記制御手段は前記自動選択モードにおける前記入力手段からの画像信号が入力される前の所定現像器が待機する待機位置を、前記画像形成装置の第一モードと第二モードの使用頻度に応じて一方を選択することを特徴とする画像形成装置。
【請求項２３】 前記制御手段は、前記入力手段からの画像信号が入力される前に待機するモードと前記入力手段からの画像信号に応じて切り替えられたモードとが異なる場合には、前記入力手段からの画像信号に応じて切り替えられたモードで最初に使用する現像器を現像位置へ移動することを特徴とする請求項２２記載の画像形成装置。
【請求項２４】 潜像担持体と、複数の現像器を有し前記潜像担持体に対向して設けられた現像手段を有する画像形成装置において、画像信号を入力する入力手段、前記画像形成装置の動作を制御する制御手段と、第一現像器を使って画像形成を行う第一モードと、第一現像器を使わずに画像形成を行う第二モードと、前記自動判別手段の判別に応じて前記第一モードと前記第二のモードを切替る自動選択モードを有し、前記第一モードでの所定現像器が待機する待機位置と前記第二モードでの所定現像器が待機する待機位置とは異なり、前記自動選択モードにおける前記入力手段からの画像信号が入力される前の所定現像器が待機する待機位置を、操作者が第一モードか第二モードの一方を指定する指定手段を有することを特徴とする画像形成装置。
【請求項２５】 前記所定現像器は、第一モードで最初に使用する現像器であることを特徴とする請求項２４記載の画像形成装置。
【請求項２６】 前記現像手段は、複数の現像器が回転軸の周りに配置され任意の前記現像器を潜像担持体に対向した現像位置に該回転軸を中心に回転動作をして現像を行うことを特徴とする請求項２４記載の画像形成装置。
【請求項２７】 潜像担持体と、複数の現像器を有し前記潜像担持体に対向して設けられた現像手段を有する画像形成装置において、画像信号を入力する入力手段、前記画像形成装置の動作を制御する制御手段と、第一現像器を使って画像形成を行う第一モードと、第一現像器を使わずに画像形成を行う第二モードと、前記自動判別手段の判別に応じて前記第一モードと前記第二のモードを切替る自動選択モードを有し、前記第一モードでの所定現像器が待機する待機位置と前記第二モードでの所定現像器が待機する待機位置とは異なり、前記制御手段は前記自動選択モードにおける前記入力手段からの画像信号が入力される前の所定現像器が待機する待機位置を、前記画像形成装置の第一モードと第二モードの使用頻度に応じて一方を選択することを特徴とする画像形成装置。
【請求項２８】 前記制御手段は、前記入力手段からの画像信号が入力される前に待機するモードと前記入力手段からの画像信号に応じて切り替えられたモードとが異なる場合には、前記入力手段からの画像信号に応じて切り替えられたモードで最初に使用する現像器を現像位置へ移動することを特徴とする請求項２７記載の画像形成装置。